(57)【要約】【課題】可搬メディアに記録した画像データの概略を示す情報を容易に知ることができる電子機器システムを提供する。【解決手段】リモコン３０のカメラで撮影されたＣＤ/ＤＶＤ６の表面に記入された文字、絵柄をパターン化し、そのデータとＣＤ/ＤＶＤ６の概略データとを関連付けて記録する。【選択図】図２
2011259123.tif 000002
【特許請求の範囲】
【請求項１】
メディア情報を可搬メディアに記録するメディア情報記録手段と、
前記メディア情報記録手段によって前記メディア情報が記録された前記可搬メディアの外観を撮像する撮像手段と、
前記可搬メディアに記録された前記メディア情報の概略を表わすデータを作成するとともに、この作成された概略データと前記撮像手段によって取得された外観データとを関連付ける制御手段と
を備えていることを特徴とする電子機器システム。
【請求項２】
前記制御手段は、前記撮像手段によって取得された外観データに基づいて、前記概略データを参照可能としたことを特徴とする請求項１記載の電子機器システム。
【請求項３】
前記制御手段は、前記撮像手段によって撮像された前記外観の画像に含まれる手書き・印字された文字、絵柄をパターン化することで前記外観データと前記概略データとを関連付けることを特徴とする請求項１又は２記載の電子機器システム。
【請求項４】
前記可搬メディアは、光ディスク、光磁気ディスク、ハードディスク及び半導体メモリであることを特徴とする請求項１〜３のいずれか１項記載の電子機器システム。
【請求項５】
前記概略データはネットワーク上のサーバに記録され、前記制御手段は、その概略データを前記ネットワーク上のユーザが参照可能としたことを特徴とする請求項１〜３のいずれか１項記載の電子機器システム。
【請求項６】
前記外観データは前記ネットワーク上のユーザによって取得されることを特徴とする請求項５項記載の電子機器システム。
【請求項７】
前記概略データは記憶手段に記憶され、前記制御手段は、その概略データを複数のユーザが参照可能としたことを特徴とする請求項１〜３のいずれか１項記載の電子機器システム。
【請求項８】
前記外観データは前記複数のユーザによって取得されることを特徴とする請求項７項記載の電子機器システム。
【発明の詳細な説明】
【技術分野】
【０００１】
この発明は電子機器システムに関する。
【背景技術】
【０００２】
近年、デジタルカメラで撮影した画像をそのまま表示し鑑賞することが可能な記録装置としてデジタルフォトフレームが広く普及している（下記公報参照）。デジタルフォトフレームでは内蔵のストレージメモリ（フラッシュメモリ、ハードディスク等）に記録された画像データ（静止画画像データ及び動画データ）を表示部に表示させるとともに、光磁気ディスク、半導体メモリ（ＳＤカード等）に画像データをコピーしてバックアップ用として保管したり、他人に提供したり、パソコンの記憶部に記憶させたりすることが一般的に行われる。
【先行技術文献】
【特許文献】
【０００３】
【特許文献１】特開２００６−１４０９００号公報
【発明の開示】
【発明が解決しようとする課題】
【０００４】
しかし、上記記録装置では、光磁気ディスク、半導体メモリ等の外部メディアに記録された画像データの概略を示す情報を確認するためには外部メディアの情報を読む機器が必要であり、それがなければユーザは外部メディア内の画像データの概略を示す情報を知ることができない。
【０００５】
この発明はこのような事情に鑑みてなされたもので、その課題は可搬メディアに記録した画像データの概略を示す情報を容易に知ることができる電子機器システムを提供することである。
【課題を解決するための手段】
【０００６】
上記課題を解決するため請求項１記載の発明は、メディア情報を可搬メディアに記録するメディア情報記録手段と、前記メディア情報記録手段によって前記メディア情報が記録された前記可搬メディアの外観を撮像する撮像手段と、前記可搬メディアに記録された前記メディア情報の概略を表わすデータを作成するとともに、この作成された概略データと前記撮像手段によって取得された外観データとを関連付ける制御手段とを備えていることを特徴とする。
【０００７】
請求項２に記載の発明は、請求項１記載の電子機器システムにおいて、前記制御手段は、前記撮像手段によって取得された外観データに基づいて、前記概略データを参照可能としたことを特徴とする。
【０００８】
請求項３に記載の発明は、請求項１又は２記載の電子機器システムにおいて、前記制御手段は、前記撮像手段によって撮像された前記外観の画像に含まれる手書き・印字された文字、絵柄をパターン化することで前記外観データと前記概略データとを関連付けることを特徴とする。
【０００９】
請求項４に記載の発明は、請求項１〜３のいずれか１項記載の電子機器システムにおいて、前記可搬メディアは、光ディスク、光磁気ディスク、ハードディスク及び半導体メモリであることを特徴とする。
【００１０】
請求項５に記載の発明は、請求項１〜３のいずれか１項記載の電子機器システムにおいて、前記概略データはネットワーク上のサーバに記録され、前記制御手段は、その概略データを前記ネットワーク上のユーザが参照可能としたことを特徴とする。
【００１１】
請求項６に記載の発明は、請求項５項記載の電子機器システムにおいて、前記外観データは前記ネットワーク上のユーザによって取得されることを特徴とする。
【００１２】
請求項７に記載の発明は、請求項１〜３のいずれか１項記載の電子機器システムにおいて、前記概略データは記憶手段に記憶され、前記制御手段は、その概略データを複数のユーザが参照可能としたことを特徴とする。
【００１３】
請求項８に記載の発明は、請求項７項記載の電子機器システムにおいて、前記外観データは前記複数のユーザによって取得されることを特徴とする。
【発明の効果】
【００１４】
この発明によれば、可搬メディアに記録した画像データの概略を示す情報を容易に知ることができる。
【図面の簡単な説明】
【００１５】
【図１】図１はこの発明の第１実施形態に係る電子機器システムを構成する画像表示装置のブロック図である。
【図２】図２はこの発明の第１実施形態に係る電子機器システムを説明する概念図である。
【図３】図３はこの発明の第２実施形態に係る電子機器システムを説明する概念図である。
【図４】図４はこの発明の第３実施形態に係る電子機器システムを説明する概念図である。
【発明を実施するための最良の形態】
【００１６】
以下、この発明の実施の形態を図面に基づいて説明する。
【００１７】
図１はこの発明の第１実施形態に係る電子機器システムを構成する画像表示装置１００のブロック図である。
【００１８】
画像表示装置１００は画像表示装置本体１０とリモートコントロール装置（以下リモコンという）３０とからなる。
【００１９】
画像表示装置本体１０はＣＰＵ（制御手段）１１を備えている。ＣＰＵ１１には、光学ドライブ（メディア情報記録手段）１２を介してＣＤ/ＤＶＤ（可搬メディア）６とＣＰＵ１１とを接続するための光学ドライブコントローラ１３と、ＵＳＢコネクタ１４を介してＰＣ（パーソナルコンピュータ）７とＣＰＵ１１とを接続するＵＳＢコントローラ１５と、カードスロット（メディア情報記録手段）１６を介してＳＤ/ＣＦカード（可搬メディア）８等の半導体メモリとＣＰＵ１１とを接続するカードコントローラ１７と、操作スイッチ１８の操作をＣＰＵ１１に認識させるためのインタフェースドライバ（Ｉ／Ｆ）１９と、ＣＰＵ１１の指示に基づいてディスプレイ２０を構成するＬＣＤを駆動するＬＣＤドライバ２１と、ＣＰＵ１１の指示に基づいてＩＲ送受信部２２を駆動してリモコン３０との間で赤外線による送受信を行うＩＲドライバ２３と、メディア情報等を記憶するメモリ（記憶手段）２４と、ＣＰＵ１１にバッテリ２５から電力を供給するとともに、ＡＣ電源９によってバッテリ２５が過充電されないように制御する電源コントローラ２６とが接続されている。なお、他の可搬メディアとしては光磁気ディスク、ハードディスク等がある。
【００２０】
光学ドライブ１２、カードスロット１６は可搬メディアにメディア情報を記録する。
【００２１】
リモコン３０は、リモコン３０の動作を制御するＣＰＵ３１を備えている。ＣＰＵ３１には、光学ドライブ１２等によってメディア情報が記録されたＣＤ/ＤＶＤ６等の可搬メディアの外観を撮像して撮像データ（外観データ）を取得するカメラ（撮像手段）３７と、ＣＰＵ３１の指示に基づいてＩＲ送受信部３２を駆動して画像表示装置本体１０との間で赤外線による送受信を行うＩＲドライバ３３と、操作スイッチ３８の操作をＣＰＵ３１に認識させるためのインタフェースドライバ（Ｉ／Ｆ）３９と、撮像データを記録するメモリ３４と、ＣＰＵ３１にバッテリ３５から電力を供給する電源コントローラ３６とが接続されている。
【００２２】
ＣＰＵ１１はＣＤ/ＤＶＤ６等の可搬メディアに記録されたメディア情報の概略を表わすデータ（概略データ）を作成するとともに、この概略データとカメラ３７によって撮像されたＣＤ/ＤＶＤ６等の可搬メディア等の外観の撮像データとを関連付ける。
【００２３】
また、ＣＰＵ１１はカメラ３７によるＣＤ/ＤＶＤ６等の可搬メディアの外観の撮像データに基づいて、概略データの参照を可能とする。
【００２４】
更に、ＣＰＵ１１はカメラ３７によって撮像されたＣＤ/ＤＶＤ６等の可搬メディアの外観の画像に含まれる手書き・印字された文字、絵柄をパターン化することで外観データと概略データとを関連付ける。
【００２５】
次に、上記電子機器システムの動作を図１、２に基づいて説明する。
【００２６】
図２はこの発明の第１実施形態に係る電子機器システムを説明する概念図である。
【００２７】
この実施形態では画像表示装置本体１０としてデジタルフォトフレーム（ＤＰＦ）を用いた。なお、画像表示装置本体１０としてはＰＣやＤＶＤレコーダ装置を用いることもできる。
【００２８】
まず、ユーザＵは画像表示装置本体１０のメモリ２４に記憶されたメディア情報から、任意のメディア情報を可搬メディア（図２ではＣＤ/ＤＶＤ６）に記録する。この際、画像表示装置本体１０は概略データをネットワーク５０を介して概略データ管理サーバ６０に記録する。概略データは各データのファイル名、タイトル、撮影日時、撮影データ（焦点距離、シャッタスピード、ＩＳＯ感度、ＧＰＳ情報等）、サムネイル画像である。
【００２９】
次に、ユーザＵはＣＤ/ＤＶＤ６の表面に手書き・印字によって任意のタイトル、コメント、注釈を記入し、ＣＤ/ＤＶＤ６の表面をリモコン３０に内蔵されたカメラ３７で撮影する。
【００３０】
その後、リモコン３０から画像表示装置本体１０へカメラ３７で取得した撮像データを送信する。
【００３１】
画像表示装置本体１０はＣＤ/ＤＶＤ６の表面に記入された文字、絵柄をパターン化し、そのデータを指定されたネットワーク５０上の概略データ管理サーバ６０にアップロードする。概略データ管理サーバ６０はアップロードされたデータと既に記録されている概略データとを関連付けて記録する。
【００３２】
なお、例えば携帯電話やスマートフォン等の携帯端末７０によってＣＤ/ＤＶＤ６の表面を撮影し、無線によるネットワーク（又は電話回線）を介してＣＤ/ＤＶＤ６の表面の撮像データを概略データ管理サーバ６０に記録することもできる。
また、ＣＤ/ＤＶＤ６に記録されたメディア情報を確認するには画像表示装置本体１０又はＣＤ/ＤＶＤ６の可搬メディアからメディア情報を読める機器が必要であるが、この実施形態では概略データを以下のように簡単に確認することができる。
【００３３】
まず、ネットワーク５０にアクセス可能な装置、例えば携帯電話やスマートフォン等の携帯端末７０のカメラでＣＤ/ＤＶＤ６の表面を撮影する。携帯端末７０には概略データを確認するためのアプリケーションソフトが設定されている。
【００３４】
携帯端末７０は、ＣＤ/ＤＶＤ６の表面に記入された文字、絵柄をパターン化（例えば白黒化）し、そのデータを指定されたネットワーク５０上の概略データ管理サーバ６０に送信する。
【００３５】
概略データ管理サーバ６０は送信されたデータに基づいて概略データベース（図示せず）を検索し、検索結果（概略データ（例えばサムネイル画像））を携帯端末７０に送信する。
【００３６】
携帯端末７０は携帯端末７０のディスプレイに検索結果を表示させる。
【００３７】
その結果、ユーザＵは概略データを確認することができる。
【００３８】
この実施形態によれば、上述のようにＣＤ/ＤＶＤ６等の可搬メディアに記録した概略データを容易に知ることができる。
【００３９】
なお、概略データを携帯端末７０内にダウンロードすることができる。そのため、２回目以降のデータの検索では携帯端末７０と概略データ管理サーバとの通信を省略することができるので、より短時間に概略データを確認することができる。
【００４０】
また、ネットワーク５０の送受信能力が十分に確保され、携帯端末７０にも十分な処理能力があるときには、概略データだけでなく、ＣＤ/ＤＶＤ６に記録された画像と同じ解像度の画像を確認することが可能となる。
【００４１】
更に、概略データをＣＤ/ＤＶＤ６に記録したユーザＵだけでなく、他人も確認することができるようにすることもできる。例えば、携帯端末７０に設定されたアプリケーションソフトに所定のコードを与えておき、概略データ管理サーバ６０へのアクセス時にコードを確認することで実現可能である。
【００４２】
また、ＣＤ/ＤＶＤ６等の可搬メディアの外形は規格で決まっているため、外形を基準とすることでその表面の文字、絵柄の撮影・パターン化・認識・検索の精度を高く保つことができる。なお、ＳＤ/ＣＦカード８等の半導体メモリの外観も規格で決まっているため、ＣＤ/ＤＶＤ６と同様に概略データとカメラ３７によって取得された撮像データとを関連付けることができる。
【００４３】
更に、例えば、ラインプリンタ（図示せず）を画像表示装置１０に内蔵させたり、光学ドライブ１２を用いたりすることで、ＣＤ/ＤＶＤ６、ＳＤ/ＣＦカード８の表面へのタイトル等の記入を画像表示装置１０で行うようにしてもよい。
【００４４】
また、上記実施形態ではリモコン３０にカメラ３７を内蔵したが、画像表示装置本体１０自身にカメラを内蔵させるようにしてもよい。
【００４５】
図３はこの発明の第２実施形態に係る電子機器システムを説明する概念図であり、第１実施形態と共通する部分には同一符号を付してその説明を省略する。
【００４６】
この実施形態はネットワーク上の概略データ管理サーバ６０を用いない点で第１実施形態と相違する。
【００４７】
例えばユーザＵ自身が所有するＣＤ/ＤＶＤ６の概略データを確認するためにリモコン３０のカメラ３７又は携帯端末７０のカメラでＣＤ/ＤＶＤ６を撮影し、画像表示装置本体１０であるデジタルフォトフレームのディスプレイ２０に概略データとしてサムネイル画像を表示させる。このとき、ＣＤ/ＤＶＤ６に記録されている画像と同じ解像度の画像（元画像）を表示させることもできる。
【００４８】
この実施形態によれば、第１実施形態と同様の効果を奏する。
【００４９】
図４はこの発明の第３実施形態に係る電子機器システムを説明する概念図であり、第１実施形態と共通する部分には同一符号を付してその説明を省略する。
【００５０】
この実施形態は画像表示装置本体１０を概略データ管理サーバとして用いるようにした点で第１実施形態と相違する。
【００５１】
この実施形態によれば、第１実施形態と同様の効果を奏するとともに、ネットワーク５０を介して画像表示装置本体１０に外部（例えば携帯端末７０）からアクセスすることができ、概略データ管理サーバ６０なしでメモリ２４に記憶された概略データとしてのサムネイル画像を確認することができる。
【符号の説明】
【００５２】
６：ＣＤ/ＤＶＤ（可搬メディア）、８：ＳＤ/ＣＦカード（可搬メディア）、１１：ＣＰＵ（制御手段），１２：光学ドライブ（メディア情報記録手段）、１６：カードスロット（メディア情報記録手段）、２４：メモリ（記憶手段）、３７：
カメラ（撮像手段）、５０：ネットワーク、６０：概略データ管理サーバ、１００：画像表示装置。
【図１】
2011259123.tif 000003
【図２】
2011259123.tif 000004
【図３】
2011259123.tif 000005
【図４】
2011259123.tif 000006